(57)【要約】【課題】太陽電池発電システムを輸送し、そのまま簡易な作業で独立電源とすることができる太陽電池発電システムを提供する。【解決手段】収納容器２と、収納容器２の内部への収納、および、収納容器２の外部への列状に連結した展開が可能とされた複数の太陽電池パネル３と、収納容器２に対して少なくとも回動可能に取り付けられ、複数の太陽電池パネル３を含む列の一方の端部が着脱される支持柱６と、収納容器２の内部への収納、および、収納容器２における設置面の近傍への固定が可能とされ、複数の太陽電池パネル３を含む列の他方の端部が着脱されるアンカー部８と、が設けられ、支持柱６の先端を設置面より上方に回動させることにより、連結した複数の太陽電池パネル３が、支持柱６とアンカー部８との間で多角形からなる上側に凸なアーチ状に配置されることを特徴とする。【選択図】図１
2011023411.tif 000002
【特許請求の範囲】
【請求項１】
収納容器と、
該収納容器の内部への収納、および、前記収納容器の外部への列状に連結して展開が可能とされた複数の太陽電池パネルと、
前記収納容器に対して少なくとも回動可能に取り付けられ、前記連結した複数の太陽電池パネルを含む列の一方の端部が着脱される支持柱と、
前記収納容器の内部への収納、および、前記収納容器における設置面の近傍への固定が可能とされ、前記連結した複数の太陽電池パネルを含む列の他方の端部が着脱されるアンカー部と、
が設けられていて、
前記支持柱の先端を前記設置面より上方に回動させることにより、前記連結した複数の太陽電池パネルが、前記支持柱と前記アンカー部との間で多角形からなる上側に凸なアーチ状に配置されることを特徴とする太陽電池発電システム。
【請求項２】
前記支持柱の回動中心は、前記収納容器における長手方向の略中央に配置され、
前記回動中心に対して、前記支持柱は前記支持柱の長手方向に沿って移動し、前記支持柱の端部まで移動した前記回動中心を中心に回動が可能であることを特徴とする請求項１記載の太陽電池発電システム。
【請求項３】
前記回動中心は、前記収納容器における長手方向の一方の端部近傍に移動して配置が可能で、
前記収納容器における長手方向の他方の端部近傍の上面には、さらに太陽電池パネルが配置されていることを特徴とする請求項１記載の太陽電池発電システム。
【請求項４】
前記支持柱と前記アンカー部との間で多角形からなる上側に凸なアーチ状に配置される前記連結した複数の太陽電池パネルの少なくとも一部に、太陽電池モジュールが配置されていない枠体があることを特徴とする請求項１記載の太陽電池発電システム。
【請求項５】
前記収納容器の内部には、前記太陽電池パネルにより発電された電力を交流電力に変換するインバータ部と、
前記太陽電池パネルにより発電された電力を一時的に蓄電できる蓄電池部と、
前記収納容器における前記太陽電池パネルが展開および収納される開口から、前記インバータ部に空気を導くダクト部と、
が設けられていることを特徴とする請求項１から４のいずれかに記載の太陽電池発電システム。
【請求項６】
前記収納容器の内部における上面と、前記インバータ部との間には蓄冷部が配置されていることを特徴とする請求項５記載の太陽電池発電システム。
【請求項７】
前記収納容器に収納および展開される複数の前記太陽電池パネルには、
複数の前記太陽電池パネルが前記収納容器に収納された際には、複数の前記太陽電池パネルを上下方向に積層して配置させるとともに、前記収納容器から展開された際には、複数の前記太陽電池パネルを同一面上に並んで配置させる連結部と、
前記太陽電池パネルが前記収納容器から展開された際に、隣接する前記太陽電池パネル同士を接続させる接続部と、
が設けられていることを特徴とする請求項１から６のいずれかに記載の太陽電池発電システム。
【発明の詳細な説明】
【技術分野】
【０００１】
本発明は、太陽電池を用いた電源、特に、移動可能な独立電源や非常防災用電源として用いて好適な太陽電池発電システムに関する。
【背景技術】
【０００２】
従来、太陽電池を用いた発電システムは太陽エネルギを電気エネルギに変換するものであり、かつ、他の発電方式と比較してメンテナンスの必要性が低いため、独立電源や非常防災用電源としての適正が高いことが知られている。
そこで、太陽の位置が移動しても、ほぼ一定の出力が得られる太陽電池を用いた発電システムが提案されている（例えば、特許文献１参照。）。
【０００３】
その一方で、太陽電池を用いた発電システムを、自走式車両に搭載することにより、イベント会場や震災の被災地など、電力の使用が困難な屋外において電力を供給することができる移動電源車が提案されている（例えば、特許文献２参照。）。
【先行技術文献】
【特許文献】
【０００４】
【特許文献１】実開昭６０−１８３４５２号公報
【特許文献２】特開２００１−３５５０３号公報
【発明の概要】
【発明が解決しようとする課題】
【０００５】
一般に、太陽電池を用いた発電システムでは、太陽電池パネルを支える架台が必要となる。架台は、太陽電池パネルの正面や背面に風圧が働いた場合であっても、太陽電池パネルを確実に保持する必要があるため強固に作られている。
このため、太陽電池を用いた発電システムの施工に際して、強固な架台の設置工事が必要となり、例えば架台を設置するコンクリート基礎工事や、架台を取付けるアンカー具取付け工事などが必要となる。つまり、太陽電池自体は、取付具で設置し、配線することで比較的短時間で工事が終了することに反して、強固な架台の設置するために架台の工事期間が長くなることで、太陽電池を用いた発電システムの工事期間も長くなり、架台にともなうコストアップと施工工期という問題があった。
【０００６】
例えば、数ｋＷから数１０ｋＷの発電能力をもつ太陽電池を用いた発電システムを完成させるには数週間以上の工事期間を必要としていた。
このことが、太陽電池を用いた発電システムの設置を阻む要因になるという問題があった。さらに、移動可能な独立電源や非常防災用電源としての活用する際には、移動車に直接固定できる少容量の太陽電池に限られるなど、実際に必要な数ｋＷの発電能力をもつ独立電源の実用化の障害になるという問題があった。
【０００７】
本発明は、上記の課題を解決するためになされたものであって、実際に必要な数ｋＷの発電能力をもつ太陽電池発電システムを輸送し、簡易な作業で独立電源とすることができる太陽電池発電システムを提供することを目的とする。
【課題を解決するための手段】
【０００８】
上記目的を達成するために、本発明は、以下の手段を提供する。
本発明の太陽電池発電システムは、収納容器と、該収納容器の内部への収納、および、前記収納容器の外部への列状に連結して展開が可能とされた複数の太陽電池パネルと、前記収納容器に対して少なくとも回動可能に取り付けられ、前記連結した複数の太陽電池パネルを含む列の一方の端部が着脱される支持柱と、前記収納容器の内部への収納、および、前記収納容器における設置面の近傍への固定が可能とされ、前記連結した複数の太陽電池パネルを含む列の他方の端部が着脱されるアンカー部と、が設けられていて、前記支持柱の先端を前記設置面より上方に回動させることにより、前記連結した複数の太陽電池パネルが、前記支持柱と前記アンカー部との間で多角形からなる上側に凸なアーチ状に配置されることを特徴とする。
【０００９】
本発明によれば、複数の太陽電池パネルおよびアンカー部を収納容器の内部に収納するとともに、太陽電池パネルを設置する際には、支持柱を収納容器の長手方向に沿って延びる方向に回動させることにより支持柱とアンカー部との間で多角形からなる上側に凸なアーチ状に配置することが出来る。そのため、本発明の太陽電池発電システムを容易に輸送することができる。
【００１０】
すなわち、本発明の太陽電池システムを設置する場合には、まず、収納容器から複数の太陽電池パネルが列状に連結した状態で展開され、一方の端部を支持柱の先端に取り付け、他方の端部を設置面に固定されるアンカー部に取り付けられる。そして、支持柱の先端を設置面より上方に回動させることにより、連結した複数の太陽電池パネルが、支持柱とアンカー部との間で太陽電池パネルの連結点（接続部）を頂点とする多角形からなる上側に凸なアーチ状に配置される。
【００１１】
このように、連結した複数の太陽電池パネルをアーチ状に配置することにより、大掛かりな土木工事を伴う架台などを用いなくても簡易に設置でき、アーチ状に配置した連結した複数の太陽電池パネルは、太陽電池パネルの正面や背面に働く風圧に対して耐えることができる。
さらに、太陽電池パネルを支持する架台を設置する工事を行うことなく、太陽電池発電システムを設置することができるので、設置工期を大幅に削減できるとともに、架台を省くことでコストダウンとなる。
【００１２】
上記発明においては、前記支持柱の回動中心は、前記収納容器における長手方向の略中央に配置され、前記回動中心に対して、前記支持柱は前記支持柱の長手方向に沿って移動し、前記支持柱の端部まで移動した前記回動中心を中心に回動が可能であることが望ましい。
【００１３】
本発明によれば、支持柱は収納容器における長手方向の略中央に回動中心があるため、支持柱を回動中心から収納容器の長手方向に略半分引き出した後、支持柱の端部まで移動した回動中心を中心に先端を設置面より上方に回動させることにより、支持柱とアンカー部との間で太陽電池パネルは、上側に凸なアーチ状に配置される。
このため、支持柱の長さを収納容器における長手方向長さと略同じとすることができて、支持柱が収納容器から大きく、突出することなく収納が可能である。これにより、本発明の太陽電池発電システムを輸送する際に、収納容器から支持柱が突出する量が最小限に抑制されるため輸送が容易となる。
【００１４】
上記発明においては、前記回動中心は、前記収納容器における長手方向の一方の端部近傍に移動して配置が可能であり、前記収納容器における長手方向の他方の端部近傍の上面には、さらに太陽電池パネルが配置されていることが望ましい。
【００１５】
本発明によれば、回動中心は、収納容器における長手方向の一方の端部近傍に移動して配置されているので、支持柱の先端に収納容器から展開され連結した複数の太陽電池パネルの一端を取り付けて、支持柱の先端を設置面より上方に回動させると、収納容器における長手方向の一方の端部近傍の上面のみにおいて、複数の連結した太陽電池パネルにより覆われる。
その一方で、収納容器における長手方向の他方の端部近傍の上面は、太陽光が当たる場所となる。そのため、当該他方の端部近傍の上面に、さらに太陽電池パネルを配置させることにより、発電に寄与する太陽電池パネルの数を増やすことができ、太陽電池発電システムにおける発電能力が増大する。
【００１６】
さらに、収納容器の上面（天井面）がほぼ全面にわたり太陽電池パネルに覆われて日陰になるので、収納容器内部の太陽光日射による温度上昇が抑制される。そのため、収納容器の内部を有効に利用することができる。
【００１７】
上記発明においては、前記支持柱と前記アンカー部との間で多角形からなる上側に凸なアーチ状に配置される前記連結した複数の太陽電池パネルの少なくとも一部に、太陽電池モジュールが配置されていない枠体があることが望ましい。
【００１８】
連結した複数の太陽電池パネルから構成され列のなかには、日射条件が悪いために太陽電池モジュールの設置効果が低い箇所や、当該列に発生する風圧を低減するために風が吹き抜けることが望ましい箇所が存在する場合がある。このような箇所においては、太陽電池モジュールを配置しない枠体である方が望ましい。
さらに、高価な太陽電池モジュールを使用しないので、コストダウンとなる。
【００１９】
上記発明においては、前記収納容器の内部には、前記太陽電池パネルにより発電された電力を交流電力に変換するインバータ部と、前記太陽電池パネルにより発電された電力を一時的に蓄電できる蓄電池部と、前記収納容器における前記太陽電池パネルが展開および収納される開口から、前記インバータ部に空気を導くダクト部と、が設けられていることが望ましい。
【００２０】
本発明によれば、太陽電池パネルにより発電された電力が交流電力に変換されるとともに、日照変動の少なくとも一部補うことができる容量の蓄電池を保有するため、本発明の太陽電池発電システムを独立電源として用いることができる。
さらに、収納容器の内部に配置されたインバータ部に、太陽電池パネルを収納していた余剰空間を利用して配置されたダクト部を介して空気が導かれ、当該空気によりインバータ部が冷却される。そのため、インバータ冷却用ファンを駆動する電力を抑制することができる。
【００２１】
上記発明においては、前記収納容器の内部における上面（天井面）と、前記インバータ部との間には蓄冷部が配置されていることが望ましい。
【００２２】
本発明によれば、蓄冷部には、夜間の間に周囲外気からの伝熱により冷熱が蓄えられる。そして、昼間になると、インバータ部は蓄冷部に蓄えられた冷熱により冷却される。
さらに、蓄冷部によって、収納容器の上面（天井面）からインバータ部への太陽光日照による熱の伝達が妨げられる。このため、インバータ冷却用ファンを駆動する電力をさらに抑制することができる。
【００２３】
上記発明においては、前記収納容器に収納および展開される複数の前記太陽電池パネルには、複数の前記太陽電池パネルが前記収納容器に収納された際には、複数の前記太陽電池パネルを上下方向に積層して配置させるとともに、前記収納容器から展開された際には、複数の前記太陽電池パネルを同一面上に並んで配置させる連結部と、前記太陽電池パネルが前記収納容器から展開された際に、隣接する前記太陽電池パネル同士を接続させる接続部と、が設けられていることが望ましい。
【００２４】
本発明によれば、収納容器の内部では、複数の太陽電池パネルは連結部によって上下方向に積層されるため、収納容器の内部空間を有効に利用できる。
さらに、収納容器から外部に展開された場合には、複数の太陽電池パネルは連結部によって同一面上に並んで配置されるため、太陽光を受光できる配置に簡易に効率的に並べることができる。その一方で、隣接する太陽電池パネルは、展開された際に接続部によって接続される。
【発明の効果】
【００２５】
本発明の太陽電池発電システムによれば、太陽電池パネルを収納容器に収納および展開可能とするとともに、収納容器に対して回動可能に支持された支持柱と、アンカー部との間で、連結した複数の太陽電池パネルを多角形からなる上側に凸なアーチ状に展開可能とすることで、太陽電池発電システムを輸送し、簡易な作業で独立電源とすることができるという効果を奏する。
【図面の簡単な説明】
【００２６】
【図１】本発明の第１の実施形態に係る太陽電池発電システムであって太陽電池パネルが展開された状態を説明する模式図である。
【図２】図１のコンテナ内部の収納状態を説明する模式図である。
【図３】図１のコンテナに太陽電池パネル等が収納された状態を説明する斜視図である。
【図４】図１の太陽電池パネルの構成を説明する斜視図である。
【図５】図１の太陽電池パネルがコンテナに収納されている状態を説明する模式図である。
【図６】図５の太陽電池パネルがコンテナから展開される途中の状態を説明する模式図である。
【図７】図５の太陽電池パネルがコンテから展開・連結された状態を説明する模式図である。
【図８】コンテナから支持柱をスライド移動させるとともに太陽電池パネルを外部に展開させる状態を説明する模式図である。
【図９】コンテナから展開・連結された太陽電池パネルの一端がアンカー部に取り付けられた状態を説明する模式図である。
【図１０】本発明の第２の実施形態に係るコンテナ内部の収納状態を説明する模式図である。
【図１１】本発明の第３の実施形態に係るコンテナ内部の収納状態を説明する模式図である。
【図１２】本発明の第４の実施形態に係るコンテナの構成を説明する模式図である。
【図１３】図１２の支持柱の稼動範囲を説明する側面視図である。
【図１４】図１２の太陽電池発電システムの別の実施例を説明する模式図である。
【図１５】本発明の第４の実施形態の変形例に係るコンテナの構成を説明する模式図である。
【図１６】図１５の太陽電池パネルの設置範囲を説明する側面視図である。
【図１７】本発明の第５の実施形態に係るコンテナの構成を説明する模式図である。
【発明を実施するための形態】
【００２７】
〔第１の実施形態〕
以下、本発明の第１の実施形態に係る太陽電池発電システムついて図１から図９を参照して説明する。
図１は、本実施形態に係る太陽電池発電システムであって太陽電池パネルが展開された状態を説明する模式図である。図２は、図１のコンテナ内部の収納状態を説明する模式図である。
本実施形態では本発明の太陽電池発電システム１を、移動可能な独立電源や非常防災用電源、設置が容易な独立電源として用いることができ発電システムに適用して説明する。
太陽電池発電システム１には、図１および図２に示すように、コンテナ（収納容器）２と、太陽電池パネル３と、インバータ部４と、蓄電池部５と、支持柱６と、駆動部７と、アンカー部８と、が主に設けられている。
【００２８】
図３は、図１のコンテナに太陽電池パネル等が収納された状態を説明する斜視図である。
コンテナ２は、図１から図３に示すように、直方体状に形成された容器であって、内部に太陽電池パネル３や、インバータ部４などが収納されるものである。
本実施形態では、ＩＳＯ規格で規定された海上コンテナ、特に２０フィート（ｆｔ）コンテナを用いる例に適用して説明する。具体的には、図３に示すように、長手方向（図１のＸ軸方向）の長さが６．１ｍ、幅方向（Ｙ軸方向）の長さが２．４ｍ、高さ方向（Ｚ軸方向）の長さが２．６ｍのコンテナ２に適用して説明する。収納容器は、２０フィート（ｆｔ）コンテナに限らず、別サイズのコンテナや類する容器であればよく、特定するものでない。
コンテナ２には、太陽電池パネル３や、アンカー部８などが出し入れされる開口部２１が、長手方向の端面（Ｘ軸方向の正側の端面）に設けられている。
【００２９】
図４は、図１の太陽電池パネルの構成を説明する斜視図である。
太陽電池パネル３は光起電力効果を用いて発電を行うものであり、太陽光を電気エネルギに変換するものである。本実施形態の太陽電池発電システム１には複数の太陽電池パネル３が設けられている。
太陽電池パネル３には、太陽電池モジュール３１と、枠体３２と、連結部３３と、接続部３４と、が主に設けられている。
【００３０】
太陽電池モジュール３１は、太陽光を電気エネルギに変換して発電を行うものである。
太陽電池モジュール３１としては、単層アモルファスシリコン薄膜太陽電池や、微結晶シリコンをはじめとする結晶質シリコン太陽電池や、シリコンゲルマニウム太陽電池や、アモルファスシリコン太陽電池と結晶質シリコン太陽電池やシリコンゲルマニウム太陽電池とを各１から複数層に積層させた多接合型（タンデム型）太陽電池、単結晶シリコン太陽電池、多結晶シリコン太陽電池、化合物系（ＣＩＧＳやＣｄＴｅなど）太陽電池など、種々の形式の太陽電池からなるものを用いることができ、特に限定するものではない。
【００３１】
枠体３２は、太陽電池モジュール３１の周囲を覆って保護するとともに、太陽電池モジュール３１を支持するものである。枠体３２は、例えば、アルミニウム、または、アルミニウム合金などの材料から形成されている。
【００３２】
さらに、複数の枠体３２の中には、図１に示すように、内部に太陽電池モジュール３１が配置されていないダミーの枠体３２Ｄが設けられている。
ダミー枠体３２Ｄは、アンカー部８に取り付けられる位置に配置されている。
【００３３】
図５は、図１の太陽電池パネルがコンテナに収納された状態を説明する模式図である。図６は、図５の太陽電池パネルがコンテナから展開されている途中の状態を説明する模式図である。図７は、図５の太陽電池パネルがコンテから展開・連結された状態を説明する模式図である。
【００３４】
連結部３３は、図５から図７に示すように、ダミー枠体３２Ｄと太陽電池パネル３との間や、隣接する太陽電池パネル３の間を連結するとともに、ダミー枠体３２Ｄおよび太陽電池パネル３がコンテナ２に収納された状態と、コンテナ２から展開された状態とで、隣接する太陽電池パネル３などを異なる相対位置に移動させるものでもある。
連結部３３には、直動ガイド３３Ａと、連結回転部３３Ｂと、連結棒３３Ｃと、が主に設けられている。
【００３５】
直動ガイド３３Ａは、主に太陽電池パネル３におけるコンテナ２の内部への移動や、コンテナ２の外部への移動（Ｘ軸方向への移動）に関する構成である。さらに直動ガイド３３Ａは、連結回転部３３Ｂおよび連結棒３３Ｃを枠体３２やダミー枠体３２Ｄの側面に沿って、Ｘ軸方向に移動させるとともに、Ｙ軸方向とＺ軸方向への移動を拘束するものである。
【００３６】
直動ガイド３３Ａは、図４から図７に示すように、枠体３２またはダミー枠体３２Ｄにおいて、太陽電池パネル３の平行な２辺の側面に設けられていて、Ｙ軸方向と直交する一対の側面から突出するとともに、枠体３２などの面に沿って（Ｘ軸方向）に延びるレール状に形成されたものである。
【００３７】
さらに、枠体３２の側面に設けられた直動ガイド３３Ａは、枠体３２の側面における略中央で分割されている。言い換えると、一つの枠体３２に、合計４つの直動ガイド３３Ａが設けられている。
その一方で、ダミー枠体３２Ｄの側面に設けられた直動ガイド３３Ａは、側面の端部から略中央まで延びており、一つのダミー枠体３２Ｄに、合計２つの直動ガイド３３Ａが設けられている。
【００３８】
連結回転部３３Ｂは、太陽電池パネル３におけるＸ軸方向への移動に関する構成であるとともに、Ｚ軸方向への移動に関する構成でもある。さらに連結回転部３３Ｂは、直動ガイド３３Ａと組み合わされて直動ガイド３３Ａに沿ってスライド移動されるとともに、連結棒３３Ｃを回動可能に支持するものである。
連結回転部３３Ｂは、図４から図７に示すように、複数の直動ガイド３３Ａのそれぞれに一対一で組み合わされ、連結棒３３Ｃを介して隣接する太陽電池パネル３の連結回転部３３Ｂが連結されている。
【００３９】
連結回転部３３Ｂには、連結回動軸３５と、ストッパ部３６と、が設けられている。
連結回動軸３５は、連結棒３３ＣをＹ軸に沿って延びる回動軸線まわりに回動可能に支持する部分であり、連結回転部３３ＢからＹ軸方向に突出する円柱状の部材である。
【００４０】
ストッパ部３６は、連結棒３３Ｃと当接することにより、連結回転部３３Ｂに対する連結棒３３Ｃの回動範囲を制限するものであり、連結回転部３３ＢからＹ軸方向にピン状に突出する部材である。
【００４１】
枠体３２に設けられた連結回転部３３Ｂのうち、Ｘ軸方向の正側（図５では左側）に配置された連結回転部３３Ｂでは、連結回動軸３５に対してＸ軸方向の正側、かつ、Ｚ軸方向の負側の位置にストッパ部３６が設けられている。
その一方で、枠体３２に設けられた連結回転部３３Ｂのうち、Ｘ軸方向の負側（図５では右側）に配置された連結回転部３３Ｂ、およびダミー枠体３２Ｄに設けられた連結回動軸３５では、連結回動軸３５に対してＸ軸方向の負側、かつ、Ｚ軸方向の正側の位置にストッパ部３６が設けられている。
【００４２】
連結棒３３Ｃは、太陽電池パネル３におけるＸ軸方向への移動に関する構成であるとともに、Ｚ軸方向への移動に関する構成でもある。さらに連結棒３３Ｃは、連結回転部３３Ｂと組み合わされてＹ軸に沿って延びる回動軸線まわりに回動されるとともに、隣接する太陽電池パネル３の連結回転部３３Ｂを繋ぐものである。
【００４３】
連結棒３３Ｃは、図４から図７に示すように、枠体３２のＸ軸方向の正側に配置された連結回転部３３Ｂに一方の端部が回動可能に取り付けられ、枠体３２のＸ軸方向の負側に配置された連結回転部３３Ｂまたはダミー枠体３２Ｄに配置された連結回転部３３Ｂに他方の端部が回動可能に取り付けられている。
【００４４】
接続部３４は、太陽電池パネル３がコンテナ２から展開された際に、隣接する太陽電池パネル３の間を接続するものである。接続部３４は、太陽電池パネル３の連結部３３を配設していない、もう一方の平行な２辺の側面に設けられていて、枠体３２におけるＸ軸方向と直交する側面に設けられた、断面がＬ字状に形成された部材である。
【００４５】
枠体３２におけるＸ軸方向の正側の側面には、当該側面からＸ軸方向の正側に向かって延び、その後、Ｚ軸方向の正側に折れ曲がり延びるように接続部３４が配置されている。その一方で、枠体３２におけるＸ軸方向の負側の側面には、当該側面からＸ軸方向の負側に向って延び、その後、Ｚ軸方向の負側に折れ曲がり延びるように接続部３４が配置されている。
【００４６】
ダミー枠体３２Ｄには、Ｘ軸方向の負側の側面にのみ接続部３４が設けられている。ダミー枠体３２Ｄに設けられた接続部３４は、側面からＸ軸方向の負側に向って延び、その後、Ｚ軸方向の負側に折れ曲がり延びている。
【００４７】
インバータ部４は、太陽電池パネル３により発電された直流電力を交流電力に変換するものである。またインバータ部４は、出力となる交流電圧を所定の電圧範囲としながら、太陽電池パネル３の出力を最大になるよう最適動作点を制御することも可能である。インバータ部４は、図２に示すように、コンテナ２内部における奥側（Ｘ軸方向の負側）の床面に設置されている。
なお、インバータ部４としては公知のものを用いることができ、特に限定するものではない。
【００４８】
蓄電池部５は、太陽電池パネル３により発電された電力を一時的に蓄えることにより、太陽電池発電システム１から安定した交流電力を出力させるものである。蓄電池部５は、図２に示すように、コンテナ２内部における中央の床面に設置されている。
【００４９】
蓄電池部５の容量としては、少なくとも太陽光の日照変動に対して、太陽電池発電システム１から供給される交流電力を極力安定させることを目的に、数時間の電力供給を維持できる容量があることが望ましい。具体的には、数ｋＷの発電能力を有する太陽電池発電システム１に対して、数ｋＷｈから１０ｋＷｈ程度以上の蓄電容量がある蓄電池部５が設けられていることが望ましい。
なお、蓄電池部５としては、リチウム（Ｌｉ）イオン電池や鉛蓄電池などの公知のものを用いることができ、特に限定するものではない。
【００５０】
支持柱６は、アンカー部８とともにコンテナ２の外部に展開・連結された太陽電池パネル３を多角形からなる上側に凸状のアーチ状に配置させるものである。
支持柱６には、一対の側方杵体６１，６１と、一対の側方杵体６１，６１の間を繋ぐ連結杵体６２と、が主に設けられている。
【００５１】
側方杵体６１は、連結杵体６２とともにコの字型の支持柱６を構成する棒状もしくは板状に形成された部材であり、支持回動軸６３を介してコンテナ２に取り付けられるものである。側方杵体６１と連結杵体６２は、断面がコの字型、Ｉ字型、中空の□型や○型として、軽量で強度を保有するものが好ましい。
さらに、側方杵体６１には、側方杵体６１の長手方向に延びる貫通孔であって、側方杵体６１が支持回動軸６３に対して移動可能に組み合わされるスリット部６４が設けられている。
【００５２】
なお、側方杵体６１が支持回動軸６３に対して移動終了後には、側方杵体６１と支持回動軸６３との移動を制限する図示しないロック機構があり、側方杵体６１が支持回動軸６３を中心に回動できるようになっている。
【００５３】
なお、支持柱６は、側方杵体６１と、連結杵体６２とに分割して、コンテナ２内部に収納しておき、使用時に組み立てることでも良い。
【００５４】
支持回動軸６３は、支持柱６をＹ軸方向に沿って延びる回動軸線まわりに回動可能に支持するものである。さらに、コンテナ２の側面（Ｙ軸方向に直交する側面）における長手方向の略中央であって、コンテナ２の底面近傍からＹ軸方向に突出する回転軸をもつ部材である。
【００５５】
連結杵体６２は、側方杵体６１とともにコの字型の支持柱６を構成する棒状または板状に形成された部材であり、一対の側方杵体６１の先端を繋ぐものである。さらに、連結杵体６２は、太陽電池パネル３が着脱可能に取り付けられるものである。
【００５６】
駆動部７は、支持柱６を支持回動軸６３まわりに回動させるものである。
駆動部７は、コンテナ２内部における開口部２１（Ｘ軸方向の正側の端部）の近傍の床面に配置されたものである。本実施形態では、手動で回転されるハンドル部７１と、ハンドル部７１の回転を支持柱６に伝達し、支持柱６を支持回動軸６３まわりに回動させる歯車などの伝達部７２と、から駆動部７が構成されている例に適用して説明する。
なお、駆動部７の構成としては公知の構成を用いることができ、特に限定するものではない。
【００５７】
アンカー部８は、支持柱６とともにコンテナ２の外部に展開・連結された太陽電池パネル３を多角形からなる上側に凸状のアーチ状に配置させる際に土台として用いられるものである。さらにアンカー部８は、太陽電池発電システム１を移動させる場合には、コンテナ２の内部に収納されるものである。
太陽電池パネル３を凸状のアーチ状に配置した後に、アンカー部８が移動しないよう、地中に打ち込まれるアンカー（図示せず）と、ダミー枠体３２Ｄが着脱可能に取り付けられる取付部８１が設けられている。
【００５８】
次に、上記の構成からなる太陽電池発電システム１における太陽電池パネル３の展開方法について説明する。
具体的には、本実施形態の太陽電池発電システム１において移動が可能な状態（図３参照。）、つまり、太陽電池パネル３などがコンテナ２の内部に収納された状態から、発電が可能な状態（図１参照。）に太陽電池パネル３を展開する方法について説明する。
【００５９】
図８は、コンテナから支持柱をスライド移動させるとともに太陽電池パネルを外部に展開させる状態を説明する模式図である。
コンテナ２が電力を必要とする現地のサイトに設置されると、図８に示すように、支持柱６が、Ｘ軸方向の正側に引き出される。このとき、支持回動軸６３が支持柱６の側方杵体６１におけるスリット部６４の内部を移動する。側方杵体６１が支持回動軸６３に対して移動終了後には、図示しないロック機構により側方杵体６１と支持回動軸６３との移動を制限し、側方杵体６１が支持回動軸６３を中心に回動できる。
【００６０】
そして、コンテナ２の開口部２１が開かれ、コンテナ２の内部から太陽電池パネル３が引き出される。
【００６１】
コンテナ２の収納空間２２では、太陽電池パネル３は、図５に示すように上下方向（Ｚ軸方向）に積層された状態で収納されている。この状態では、連結部３３の連結回転部３３Ｂは枠体３２やダミー枠体３２Ｄの中央側に移動しており、連結棒３３Ｃにより隣接する連結回転部３３Ｂが連結されている。これら連結棒３３Ｃおよび連結回転部３３Ｂにより、太陽電池パネル３の間には、０．５ｃｍから３ｃｍ程度の空間が確保され、コンテナ２を移動中でも太陽電池パネル３に損傷がないように工夫されている。
【００６２】
そして、複数の太陽電池パネル３は、収納空間２２に収納されている状態において電気的に接続、つまり結線されていてもよいし、安全のために一部において接続部分を外しておいてもよく、特に限定するものではない。
【００６３】
上述のように収納空間２２に収納されていた太陽電池パネル３およびダミー枠体３２Ｄを、図８に示すように、コンテナ２から外側に向かって展開させる過程において、連結部３３は図６に示す状態となる。
つまり、太陽電池パネル３およびダミー枠体３２Ｄがコンテナ２からＸ軸方向の正側に移動するに伴い、連結回転部３３Ｂは、直動ガイド３３Ａに沿って枠体３２およびダミー枠体３２Ｄの端部に向って移動する。同時に、連結棒３３Ｃは連結回転部３３Ｂに対して回動する（図６の場合には反時計回りに回動する）。
【００６４】
図９は、コンテナから展開・連結された太陽電池パネルの一端がアンカー部に取り付けられた状態を説明する模式図である。
コンテナ２から太陽電池パネル３が展開されると、図９に示すように、アンカー部８の取付部８１にダミー枠体３２Ｄが取り付けられるとともに、支持柱６に展開・連結された太陽電池パネル３の一端が取り付けられる。
本実施形態では、複数の太陽電池パネル３がＸ軸方向に並ぶとともに、Ｘ軸方向の正側端部にダミー枠体３２Ｄが配置された太陽電池パネル３の列が、Ｙ軸方向に２本並んで配置されている例に適用して説明する。
【００６５】
具体的には、ダミー枠体３２Ｄおよび複数の太陽電池パネル３の列がＸ軸方向（水平方向）に延びると、図７に示すように、ダミー枠体３２Ｄおよび複数の太陽電池パネル３は同一の面上に配置される。このとき、連結回転部３３Ｂは枠体３２およびダミー枠体３２Ｄの端部にまで移動している。さらに、連結棒３３Ｃは、Ｘ軸方向に対して略平行になるまで回動し、連結回転部３３Ｂの連結ストッパ部３６と当接して固定されている。
【００６６】
連結ストッパ部３６には連結回転部３３Ｂとのロック機能があり、連結回転部３３Ｂが強固に固定できることが好ましい。たとえば、連結回転部３３Ｂの一部に図示しない連結ストッパ部３６がくい込む切込みがあり、連結ストッパ部３６に設けた締込ナットを締め込むことにより、連結ストッパ部３６と連結回転部３３Ｂをロックして、太陽電池パネル３間どうしが同一平面に配置されるよう固定することが可能である。
その一方で、隣接する接続部３４は互いに噛み合わされて、隣接する太陽電池パネル３同士の機械的強度を有した接続を可能としている。
【００６７】
そして、ダミー枠体３２Ｄがアンカー部８に取り付けられるとともに、太陽電池パネル３の列におけるＸ軸方向の負側端部（コンテナ２側の端部）の太陽電池パネル３が支持柱６に取り付けられる。この際に、各太陽電池パネル３における電気的な接続が確保されているか確認される。
【００６８】
その後、図１に示すように、アンカー部８をＸ軸方向の負側端部（コンテナ２側の端部）側に移動させながら、支持柱６を略鉛直方向（Ｚ軸線方向）までゆっくりと引き起こすことにより、ダミー枠体３２Ｄおよび複数の太陽電池パネル３の列が太陽電池パネル３の連結部３４を頂点とする多角形からなるアーチ状に配置される。
【００６９】
太陽電池パネル３の連結部３４は、隣接する太陽電池パネル３どうしの機械的強度を有した接続を行なうが、０．５ｍｍから１ｍｍ程度の少量に設けられた接続分部の隙間（ガタ）と、接続部３４弾性変形により、接続部３４を頂点とする多角形からなるアーチ状に配置することができる。
このとき、太陽電池パネル３の枠体３２の変形は極めて少なく、太陽電池モジュール３１に対して応力を印加することがないので、太陽電池モジュール３１が破損することがない。
【００７０】
具体的には、駆動部７のハンドル部７１を回転させることにより、伝達部７２を介して支持柱６を回動させることにより、支持柱６の引き起こしが行われる。支持柱６が引き起こされた後は、ハンドル部７１を固定することにより支持柱６も固定される。
【００７１】
ここで、ダミー枠体３２Ｄおよび複数の太陽電池パネル３の列における多角形からなるアーチ形状は、アンカー部８の配置位置により調節される。このようにアーチ形状、例えばアーチの半径などを調節することにより、太陽電池パネル３の傾斜角度が調節される。適切なアーチ形状とした後に、アンカー部８が移動しないよう、地中に打ち込まれるアンカー（図示せず）などにより、地面（設置面）に固定される。
【００７２】
太陽電池パネル３の傾斜角度は、太陽高度に合わせて最も発電効率が高くなる角度に調節されることが望ましい。さらに、発電量の観点から、太陽電池パネル３は南向きに配置されることが望ましい。
また、ダミー枠体３２Ｄには太陽電池モジュール３１を設けていない。これは、アンカー部８は地上（設置面）にあるため、ダミー枠体３２Ｄの面の傾斜角度は、水平面に対して９０°近くとなり、太陽光の日射が最も発電効率が高くなる角度に対して約半分程度と少ない。さらには、地上付近のために周囲環境の影の影響を受け易く、日射条件が悪いために、高価な太陽電池モジュール３１を省いて枠体のみとしている。
【００７３】
その一方で、展開された太陽電池パネル３は、太陽電池パネル３を展開する際の手順を逆に行うことにコンテナ２に収納される。
【００７４】
上述のように、太陽電池パネル３の展開が完了すると発電が行われる。
具体的には、太陽光が入射された太陽電池パネル３の太陽電池モジュール３１により発電が行われる。太陽電池モジュール３１において発生した直流電力は、蓄電池部５に充電された後に、インバータ部４により交流電力に変換されて外部に供給される。
【００７５】
上記の構成によれば、複数の太陽電池パネル３およびアンカー部８をコンテナ２の内部に収納するとともに、支持柱６をコンテナ２の長手方向（Ｘ軸方向）に沿う方向に回動させることにより、本実施形態に係る太陽電池発電システム１の輸送を容易にすることができる。
【００７６】
また、支持柱６は、側方杵体６１と、連結杵体６２とに分割して、コンテナ２内部に収納しておき、使用時に組み立てるようにすれば、コンテナ２外部に突出して取付けた部品が少なくなり、太陽電池発電システム１の輸送をさらに容易にする。
【００７７】
電力が必要とされる現地のサイトで太陽電池パネル３を展開することにより、本実施形態に係る太陽電池発電システム１を独立電源システムとして提供することができる。
具体的には、コンテナ２からダミー枠体３２Ｄおよび複数の太陽電池パネル３を展開して、コンテナ２側の太陽電池パネル３を支持柱６に取り付けるとともに、ダミー枠体３２Ｄをアンカー部８に取り付けた後、支持柱６の先端を上方に回動させながら、アンカー部８を移動可能とすることにより、複数の太陽電池パネル３が、支持柱とアンカー部との間で多角形からなる上側に凸なアーチ状に配置され、アンカー部８を地面（設置面）に固定する。
これにより、本実施形態に係る太陽電池発電システム１は太陽光による発電を行うことができる状態となる。
【００７８】
このように、複数の太陽電池パネル３をアーチ状に配置することにより、架台などを用いないために低コストとなり、複数の太陽電池パネル３は、太陽電池パネル３の正面や背面に働く風圧に対して耐えることができる。
さらに、太陽電池パネル３を支持する架台を設置する工事を行うことなく、太陽電池発電システム１を短期間で設置することができる。
【００７９】
支持柱６はコンテナ２における長手方向の略中央を中心として回動され、支持柱６に働く力はコンテナ２における長手方向の略中央に伝達される。そのため、支持柱６における回動中心がコンテナ２の端部に配置されている場合と比較して、支持柱６および支持柱６に取り付けられた太陽電池パネル３は、コンテナ２によって安定して支持される。
【００８０】
さらに、支持柱６にスリット部６４が設けられているため、支持柱６における長手方向をコンテナ２における長手方向に沿わせた状態として、回動中心に対して支持柱６の長手方向の略中央に移動させることができる。これにより、本実施形態の太陽電池発電システム１を輸送する際に、コンテナ２から支持柱６が突出する量が抑制されるため輸送が容易となる。
【００８１】
コンテナ２の内部では、複数の太陽電池パネル３は連結部３３によって上下方向に積層されるため、コンテナ２の内部空間を有効に利用しながら、コンテナ２の移動時に太陽電池パネル３の損傷を防止できる。
さらに、コンテナ２から外部に展開された場合には、複数の太陽電池パネル３は連結部３３と接続部３４によって同一面（アーチ）上に並んで配置されるため、太陽光を効率的に受けて発電を行うことができる。
【００８２】
〔第２の実施形態〕
次に、本発明の第２の実施形態について図１０を参照して説明する。
本実施形態の太陽電池発電システムの基本構成は、第１の実施形態と同様であるが、第１の実施形態とは、インバータ部の冷却に関する構成が異なっている。よって、本実施形態においては、図１０を用いてインバータ部の冷却に関する構成のみを説明し、その他の構成要素等の説明を省略する。
図１０は、本実施形態に係るコンテナ内部の収納状態を説明する模式図である。
なお、第１の実施形態と同一の構成要素には、同一の符号を付してその説明を省略する。
【００８３】
太陽電池発電システム１０１には、図１０に示すように、コンテナ２と、太陽電池パネル３と、インバータ部４と、蓄電池部５と、駆動部７と、ダクト部１０９と、が主に設けられている。
【００８４】
インバータ部４は風雨や埃を避けるために周囲に格納庫が必要で、本実施形態ではコンテナ２内部に収納している。インバータ部４は、内部素子からの発熱を冷却し、その機能を維持するために制限温度、例えば４０℃以下に冷却する必要があり、通常の太陽電池発電システムでは電動ファンなどを用いた冷却機構を保有している。しかし、独立電源を構成するには、電動ファンの電力を削減することが好ましい。
【００８５】
ダクト部１０９は、コンテナ２の外部から冷却用の空気をインバータ部４に導くものである。ダクト部１０９は、内部に空気が流れる流路が形成された筒状のものであって、コンテナ２内部における略中央の蓄電池部５の上側に配置されたものである。
具体的には、ダクト部１０９における空気が流れる流路面積は、Ｘ軸方向の正側から負側に向って、狭くなっている。
【００８６】
上記の構成からなる太陽電池発電システム１０１における太陽電池パネル３の展開方法、収納方法および発電方法については、第１の実施形態と同様であるため、その説明を省略する。
【００８７】
ここで、本実施形態の太陽電池発電システム１０１の特徴であるダクト部１０９における働きについて説明する。
ダクト部１０９は、図１０に示すように、コンテナ２の開口部２１からインバータ部４における冷却が必要な部分に冷却に用いられる空気を集中的に導く。
【００８８】
ダクト部１０９における空気が流れる流路面積が、Ｘ軸方向の正側から負側に向って、狭くなることで、空気の流速が増し、インバーダ部４内部の素子に対する表面熱伝達率を向上し冷却効果が増加する。コンテナ２の開口部２１付近は太陽電池パネル３を搬出して空洞状態であるので、ダクト部１０９入口に空気が導入するに好適である。
さらにこの空洞分部からクト部１０９入口に向けて、空気の流れを導く図示しない案内ハネ板を設けると更に好ましい。また、ダクト部１０９は、コンテナ２の開口部２１から少し離れた位置にあるため風雨や埃が直接入り込むことが無く、好ましい。
【００８９】
コンテナ２の内部の自然通風と、ダクト部１０９による通風とを組み合わせることにより、インバータ部４の周囲における温度（雰囲気温度）をインバータ部４の制限温度、例えば４０℃以下に安定して維持させることができる。
【００９０】
また、コンテナ２の開口部２１は、必ずしも全てを開放している必要が無い。開口部２１は、外気空気が導入され易いようなスリット窓が設けられた扉となっていても良い。これにより、コンテナ２内部に風雨や埃が直接入り込むことが無く、また太陽電池パネル３を搬出して空洞状態になった領域を外気空気の導入を疎外しない程度で、物品の保管庫として活用しても良い。
【００９１】
上記の構成によれば、コンテナ２の内部に配置されたインバータ部４に、ダクト部１０９を介して空気が導かれるため、当該空気によりインバータ部４を冷却することができ、インバータ部４を冷却する電動ファンの動力を削減し、太陽電池システム１０１の交流出力を増加できる。
【００９２】
〔第３の実施形態〕
次に、本発明の第３の実施形態について図１１を参照して説明する。
本実施形態の太陽電池発電システムの基本構成は、第２の実施形態と同様であるが、第２の実施形態とは、コンテナ内部の冷却に関する構成が異なっている。よって、本実施形態においては、図１１を用いてコンテナ内部の冷却に関する構成のみを説明し、その他の構成要素等の説明を省略する。
図１１は、本実施形態に係るコンテナ内部の収納状態を説明する模式図である。
なお、第２の実施形態と同一の構成要素には、同一の符号を付してその説明を省略する。
【００９３】
太陽電池発電システム２０１には、図１１に示すように、コンテナ２と、太陽電池パネル３と、インバータ部４と、蓄電池部５と、駆動部７と、ダクト部１０９と、蓄冷部２０９と、が主に設けられている。
【００９４】
本実施形態では、インバータ部４を風雨や埃から保護する格納庫として、コンテナ２内部に収納しているが、インバータ部４では、インバータ４の素子による発熱だけでなく、太陽光照射によるコンテナ２の上面（天井面）からの伝熱があるため、インバータ部４はますます温度が上昇し易く、冷却のために電動ファンなどによる冷却用電力が必要になる。
第２の実施形態では、コンテナ２の内部の自然通風と、ダクト部１０９による通風とを組み合わせているが、本実施形態では、さらに蓄冷部２０９を設けている。
【００９５】
蓄冷部２０９は、太陽光照射によるコンテナ２の上面（天井面）からインバータ部４への熱の伝わりを抑制するとともに、インバータ部４を冷却するものである。蓄冷部２０９は、コンテナ２内部の上方であって、Ｘ軸方向およびＹ軸方向の極力全てにわたって配置されている。言い換えると、蓄冷部２０９はコンテナ２の上面と、インバータ部４、ダクト部１０９および太陽電池パネル３の収納空間２２との間に配置されている。
蓄冷部２０９としては、高吸水性ポリマーなど万一に漏れ出しても弊害がなく熱容量が大きいものを用いることが望ましい。
【００９６】
上記の構成からなる太陽電池発電システム２０１における太陽電池パネル３の展開方法、収納方法および発電方法については、第１の実施形態と同様であるため、その説明を省略する。
【００９７】
ここで、本実施形態の太陽電池発電システム２０１の特徴である蓄冷部２０９における働きについて説明する。
夜間は、日中と比較して外気の温度が低下する。そのため、蓄冷部２０９は、夜間にコンテナ２の上面を介して外気との間で熱交換を行い、冷熱を蓄冷部２０９の内部に蓄える。言い換えると、蓄冷部２０９が日中に吸収した熱を、夜間の外気に放出する。
【００９８】
そして、太陽日照により太陽電池発電システム２０１から交流電力の供給が開始されると、インバータ部４から熱が発生する。蓄冷部２０９は、インバータ部４から発生した熱を吸収する。言い換えると、蓄冷部２０９は蓄えた冷熱によりインバータ部４を冷却する。
【００９９】
さらに、日中になると、コンテナ２の上面に太陽光が照射され、上面（天井面）の温度が上昇する。蓄冷部２０９は、太陽光照射によるコンテナ２の上面から伝熱する熱を吸収するとともに、伝熱の抵抗となることにより、コンテナ２の上面からインバータ部４への熱の伝達を遮る効果がある。
【０１００】
このことにより、インバータ部４の周囲における温度（雰囲気温度）をインバータ部４の制限温度、例えば４０℃以下に安定して維持させることができる。蓄冷部２０９により、インバータ部４を冷却する電動ファンの動力をさらに削減し、太陽電池システム１０１の交流出力を増加できる。
【０１０１】
〔第４の実施形態〕
次に、本発明の第４の実施形態について図１２から図１４を参照して説明する。
本実施形態の太陽電池発電システムの基本構成は、第１の実施形態と同様であるが、第１の実施形態とは、支持柱の稼動範囲が異なっている。よって、本実施形態においては、図１２から図１４を用いて支持柱に関する構成のみを説明し、その他の構成要素等の説明を省略する。
図１２は、本実施形態に係るコンテナの構成を説明する模式図である。図１３は、図１２の支持柱の稼動範囲を説明する側面視図である。
なお、第１の実施形態と同一の構成要素には、同一の符号を付してその説明を省略する。
【０１０２】
太陽電池発電システム３０１には、図１２および図１３に示すように、コンテナ２と、太陽電池パネル３と、支持柱６と、駆動部３０７と、アンカー部８と、が主に設けられている。
【０１０３】
駆動部３０７は、支持柱６を支持回動軸６３まわりに回動させるものである。本実施形態における駆動部３０７は、支持柱６を略鉛直方向まで引き起こす第１の実施形態における駆動部７と異なり、略鉛直方向をさらに約３０°越えるまで支持柱６を引き起こすものである。
【０１０４】
駆動部３０７は、コンテナ２内部における開口部２１の近傍の床面に配置されたものである。本実施形態では、手動で回転されるハンドル部３７１と、ハンドル部３７１の回転を支持柱６に伝達し、支持柱６を支持回動軸６３まわりに回動させる歯車などの伝達部３７２と、から駆動部３０７が構成されている例に適用して説明する。
なお、駆動部３０７の構成としては公知の構成を用いることができ、特に限定するものではない。
【０１０５】
このようにすることで、支持柱６を引き起こした際に太陽電池パネル３は、引き起こし角度において約３０°から約１２０°の範囲に配置される。このとき、太陽電池パネル３の受光面の傾斜角度（水平方向（水平面）と太陽電池パネル３受光面のなす角度）は、約６０°から約−３０°（マイナスは主な太陽電池パネル３を向ける方向に対し、受光面が逆方向を向くことを示す。たとえば、主な太陽電池パネル３が南向きであるのに対し、−３０°は北向きとなり水平面と受光面のなす角度が３０°であることを示す）になる。なお、コンテナ２の上方に配置された太陽電池パネル３における水平方向に対する傾斜角度は、−３０°以上であることが望ましい。
このため、コンテナ２の上面のほぼ全面を太陽電池パネル３により覆うことができる。
【０１０６】
上記の構成からなる太陽電池発電システム３０１における太陽電池パネル３の展開方法、収納方法および発電方法については、第１の実施形態と同様であるため、その説明を省略する。
【０１０７】
上記の構成によれば、太陽電池パネル３を略水平状態に配置した場合と比較して、設置できる太陽電池パネル３の数量を約５０％増加させることができる。
ここで、上記のマイナス傾斜を示す太陽光発電パネルにおける太陽光の日射量は、主な太陽電池パネル３が受ける日射量に比べて少なくなり易い。たとえば国内平均的な日射条件において、上記マイナス傾斜を示した分部の太陽電池パネル３出力低下が影響して、全ての太陽電池パネル３がプラズ傾斜であることに比べて、５％程度発電量が低くなる。しかし太陽電池パネル３設置数量の増加による発電量の増加効果が大きいことから、メリットの方がはるかに大きい。
そのため、太陽電池発電システム３０１における発電量を増加させることができる。
【０１０８】
さらに、コンテナ２は、太陽光日射に対して太陽電池パネル３の影に配置される。そのため、コンテナ２内の温度上昇を抑制すること、言い換えると、インバータ部４の雰囲気温度を制限温度、例えば４０℃以下に安定して維持するための電動ファン動力を削減することができる。
【０１０９】
図１４は、図１２の太陽電池発電システムの別の実施例を説明する模式図である。
なお、上述の実施形態のように太陽電池パネル３の列を、図１２に示すように、Ｙ軸方向に２列並べて配置してもよいし、図１４に示すように、Ｙ軸方向に４列並べて配置してもよく、配置される列を特に制限するものではない。Ｙ軸方向に４列並べて配置することで、太陽電池パネル３の設置数量をさらに増加できる。
【０１１０】
〔第４の実施形態の変形例〕
次に、本発明の第４の実施形態の変形例について図１５および図１６を参照して説明する。
本変形例の太陽電池発電システムの基本構成は、第４の実施形態と同様であるが、第４の実施形態とは、太陽電池パネルの設置範囲が異なっている。よって、本変形例においては、図１５および図１６を用いて太陽電池パネルの設置範囲のみを説明し、その他の構成要素等の説明を省略する。
図１５は、本変形例に係るコンテナの構成を説明する模式図である。図１６は、図１５の太陽電池パネルの設置範囲を説明する側面視図である。
なお、第４の実施形態と同一の構成要素には、同一の符号を付してその説明を省略する。
【０１１１】
太陽電池発電システム４０１には、図１５および図１６に示すように、コンテナ２と、太陽電池パネル３と、太陽電池パネル４０３と、支持柱６と、駆動部４０７と、アンカー部８と、が主に設けられている。
【０１１２】
太陽電池パネル４０３は、太陽電池パネル３と同様に、光起電力効果を用いて発電を行うものであり、太陽光を電気エネルギに変換するものである。
太陽電池パネル４０３は、コンテナ２の上面（天井面）であって、Ｘ軸方向の負側領域に配置されている。言い換えると、太陽光日射に対して太陽電池パネル３の日影になるＸ軸方向の正側領域には配置されていない。
【０１１３】
本実施形態では、コンテナ２上面の約７０％の領域に太陽電池パネル４０３を設置する例、言い換えると、約１ｋＷの太陽電池パネル４０３を設置する例に適用して説明する。
【０１１４】
駆動部４０７は、支持柱６を支持回動軸４６３まわりに回動させるものである。
本実施形態における駆動部４０７は、支持柱６を略鉛直方向まで引き起こす第１の実施形態における駆動部７と異なり、略鉛直方向をさらに約３０°越えるまで支持柱６を引き起こすものである。さらに、支持回動軸４６３は、コンテナ２の長手方向における開口部２１の近傍に配置されている。
【０１１５】
駆動部４０７は、コンテナ２内部における開口部２１の近傍の床面に配置されたものである。本実施形態では、手動で回転されるハンドル部４７１と、ハンドル部４７１の回転を支持柱６に伝達し、支持柱６を支持回動軸４６３まわりに回動させる歯車などの伝達部４７２と、から駆動部４０７が構成されている例に適用して説明する。
なお、駆動部４０７の構成としては公知の構成を用いることができ、特に限定するものではない。
【０１１６】
このようにすることで、支持柱６を引き起こした際に太陽電池パネル３は、引き起こし角度において約３０°から約１２０°の範囲に配置される。このとき、太陽電池パネル３の設置角度は、約６０°から約−３０°になる。（マイナスは、水平方向（水平面）と太陽電池パネル３受光面のなす角度）なお、コンテナ２の上方に配置された太陽電池パネル３における水平方向に対する傾斜角度は、−３０°以上であることが望ましい。
【０１１７】
本実施形態の変形例においては、支持回動軸４６３の回動中心は、コンテナ２における長手方向の一方の端部近傍に、すなわちＸ軸方向の正側に配置されている。たとえば、支持回動軸４６３は、図示しないリニアガイドを設けた移動機構により、その回動中心をＸ軸方向の正側に移動し、コンテナ２の開口部２１付近で支持回動軸４６３を回転可能な状態で固定される。
【０１１８】
本発明によれば、支持回動軸４６３の回動中心は、コンテナ２の開口部２１付近（Ｘ軸方向の正側側）に移動して配置しているので、支持柱６を引き起こした際に太陽電池パネル３は、引き起こし角度において約３０°から約１２０°の広い範囲に配置されるとともに、コンテナ２の開口部２１付近近傍の上面は、複数の連結した太陽電池パネルにより覆われる。
【０１１９】
このため、コンテナ２における上面には、さらに太陽電池パネルが配置されていることが望ましい。
具体的には、コンテナ２の上面のうち、開口部２１側と逆側の領域、すなわち長手方向の他方の端部であるＸ軸方向の負側領域を太陽電池パネル３により覆うことができる。
【０１２０】
上記の構成によれば、コンテナ２の上面に、さらに太陽電池パネル４０３を配置することにより、発電に寄与する太陽電池パネルの数を増やすことができ、太陽電池発電システム４０１における発電能力の増大を図ることができる。
また、太陽日射による伝熱からコンテナ２の内部、特にインバータ部４の上面（天井面）を日影に出来るので、インバータ部４を冷却する電動ファンの動力をさらに削減し、太陽電池システム１０１の交流出力を増加できる。
【０１２１】
〔第５の実施形態〕
次に、本発明の第５の実施形態について図１７を参照して説明する。
本実施形態の太陽電池発電システムの基本構成は、第１の実施形態と同様であるが、第１の実施形態とは、ダミー枠体および太陽電池パネルを含む列の構成が異なっている。よって、本実施形態においては、図１７を用いてダミー枠体および太陽電池パネルを含む列の構成のみを説明し、その他の構成要素等の説明を省略する。
図１７は、本実施形態に係るコンテナの構成を説明する模式図である。
なお、第１の実施形態と同一の構成要素には、同一の符号を付してその説明を省略する。
【０１２２】
太陽電池発電システム５０１には、図１７に示すように、コンテナ２と、太陽電池パネル３と、ダミー枠体３２Ｄと、支持柱６と、駆動部７と、アンカー部８と、が主に設けられている。
【０１２３】
本実施形態では、ダミー枠体３２Ｄおよび太陽電池パネル３から構成される列において、内部に太陽電池モジュール３１が配置されていないダミーの枠体３２Ｄとダミーの枠体３２Ｅが設けられている。ダミー枠体３２Ｄは、他の第１の実施形態と同様に、Ｘ軸方向の正側端部に設置されている一方で、ダミーの枠体３２Ｅは、たとえば当該列の略中央に配置されている。
【０１２４】
ここで、Ｘ軸方向の正側端部に設置したダミー枠体３２Ｄは、Ｘ軸方向の負側の側面にのみ接続部３４が設けられているが、本実施形態におけるダミー枠体３２Ｅは、Ｘ軸方向の正側側面と負側側面の両方に接続部３４が設けられている。
【０１２５】
上記の構成からなる太陽電池発電システム５０１における太陽電池パネル３の展開方法、収納方法および発電方法については、第１の実施形態と同様であるため、その説明を省略する。
【０１２６】
上記の構成によれば、ダミー枠体３２Ｄにおいて風が吹き抜けるため、ダミー枠体３２Ｄおよび太陽電池パネル３の列に風が当たった際に、当該列により大きな風圧や大きな揚力が発生することが防止される。そのため、風により、太陽電池発電システム５０１が不用意に移動したり、持ち上げられたりすることを防止できる。
【０１２７】
また、風が吹き抜けるために設置するダミー枠体３２Ｅは、太陽電池パネル３から構成される列のなかで、周囲の環境から風が吹き抜けに適する箇所を適宜選定できるもので、当該列の略中央の配置に限るものではない。
【符号の説明】
【０１２８】
１，１０１，２０１，３０１，４０１，５０１  太陽電池発電システム
２  コンテナ（収納容器）
３，４０３  太陽電池パネル
４  インバータ部
５  蓄電池部
６  支持柱
８  アンカー部
３２Ｄ  ダミーの枠体
３３  連結部
１０９  ダクト部
２０９  蓄冷部
【図１】
2011023411.tif 000003
【図２】
2011023411.tif 000004
【図３】
2011023411.tif 000005
【図４】
2011023411.tif 000006
【図５】
2011023411.tif 000007
【図６】
2011023411.tif 000008
【図７】
2011023411.tif 000009
【図８】
2011023411.tif 000010
【図９】
2011023411.tif 000011
【図１０】
2011023411.tif 000012
【図１１】
2011023411.tif 000013
【図１２】
2011023411.tif 000014
【図１３】
2011023411.tif 000015
【図１４】
2011023411.tif 000016
【図１５】
2011023411.tif 000017
【図１６】
2011023411.tif 000018
【図１７】
2011023411.tif 000019